(57)【要約】      （修正有）【課題】ワイヤレス通信ネットワークにおけるプッシュ・ツー・トーク（ＰＴＴ）通信の高速セットアップを可能にする装置および方法を提供する。【解決手段】移動体デバイスは、シグナリングチャネルおよびデータチャネルを通してワイヤレス通信ネットワークと通信する。無線信号送信ポイントにおいて、ＰＴＴメッセージを含むデータパケットをデータ通信ネットワークから受け取り、データパケットをチェックし、データパケット中のＰＴＴメッセージがセットアップ関連メッセージである場合に、シグナリングチャネルを通してＰＴＴメッセージを移動体デバイスに送信する。さらに、無線信号送信ポイントは、データパケット中のＰＴＴメッセージがセットアップ関連メッセージでない場合に、専用アクセスチャネルを通してＰＴＴメッセージを移動体デバイスに送信する。【選択図】図６
2011066906.tif 000002
【特許請求の範囲】
【請求項１】
移動体デバイスとワイヤレス通信ネットワークとの間のプッシュ・ツー・トーク（ＰＴＴ）通信の高速セットアップを可能にし、移動体デバイスは、少なくとも、シグナリングチャネルおよびデータチャネルを通してワイヤレス通信ネットワークと通信する方法において、
無線信号送信ポイントにおいて、ＰＴＴメッセージを含むデータパケットをデータ通信ネットワークから受け取るステップと、
データパケットをチェックするステップと、
データパケット中のＰＴＴメッセージがセットアップ関連メッセージである場合に、シグナリングチャネルを通してＰＴＴメッセージを移動体デバイスに送信するステップとを含む方法。
【請求項２】
データパケット中のＰＴＴメッセージがセットアップ関連メッセージでない場合に、専用アクセスチャネルを通してＰＴＴメッセージを移動体デバイスに送信するステップをさらに含む請求項１記載の方法。
【請求項３】
ＰＴＴメッセージは、ＰＴＴ通話通知メッセージである請求項１記載の方法。
【請求項４】
ＰＴＴメッセージは、ＰＴＴ発言許可メッセージである請求項１記載の方法。
【請求項５】
ＰＴＴメッセージをシグナリングメッセージに埋め込むステップをさらに含む請求項１記載の方法。
【請求項６】
移動体デバイスとワイヤレス通信ネットワークとの間のプッシュ・ツー・トーク（ＰＴＴ）通信の高速セットアップを可能にし、移動体デバイスは、少なくとも、シグナリングチャネルおよびデータチャネルを通してワイヤレス通信ネットワークと通信する方法において、
移動体デバイスにおいて、ＰＴＴ通信要求を受け取るステップと、
シグナリングチャネルを通してＰＴＴメッセージを無線送信ポイントに送信し、無線送信ポイントはＰＴＴサーバと通信しているステップとを含む方法。
【請求項７】
ＰＴＴ通信要求は、ユーザからのＰＴＴ起動要求である請求項６記載の方法。
【請求項８】
ＰＴＴメッセージは、ＰＴＴ通話要求メッセージである請求項６記載の方法。
【請求項９】
ＰＴＴ通信要求は、無線送信ポイントからのＰＴＴ通話通知メッセージである請求項６記載の方法。
【請求項１０】
ＰＴＴメッセージは、ＰＴＴ通話受入メッセージである請求項６記載の方法。
【請求項１１】
移動体デバイスとワイヤレス通信ネットワークとの間のプッシュ・ツー・トーク（ＰＴＴ）通信の高速セットアップを可能にし、少なくとも、シグナリングチャネルおよびデータチャネルを通して移動体デバイスと通信する装置において、
ＰＴＴメッセージをデータネットワークから受け取るネットワークインターフェイスユニットと、
ＰＴＴメッセージを記憶する記憶ユニットと、
ＰＴＴメッセージを解析する制御装置ユニットと、
無線信号を通してＰＴＴメッセージを移動体デバイスに送信する無線インターフェイスユニットとを具備し、
記憶ユニット中のＰＴＴメッセージがセットアップ関連メッセージである場合に、シグナリングチャネルを通してＰＴＴメッセージを移動体デバイスに送信する装置。
【請求項１２】
記憶ユニット中のＰＴＴメッセージがセットアップ関連メッセージでない場合に、専用アクセスチャネルを通してＰＴＴメッセージを移動体デバイスに送信する請求項１１記載の装置。
【請求項１３】
ＰＴＴメッセージは、ＰＴＴ通話通知メッセージである請求項１１記載の装置。
【請求項１４】
ＰＴＴメッセージは、ＰＴＴ発言許可メッセージである請求項１１記載の装置。
【請求項１５】
ＰＴＴメッセージがシグナリングメッセージに埋め込まれる請求項１１記載の装置。
【請求項１６】
プッシュ・ツー・トーク（ＰＴＴ）通信の高速セットアップを可能にし、少なくとも、シグナリングチャネルおよびデータチャネルを通してワイヤレス通信ネットワークと通信する装置において、
ユーザによるＰＴＴメッセージを受け取るユーザインターフェイスと、
ユーザから受け取ったＰＴＴメッセージを記憶する記憶ユニットと、
記憶ユニット中に記憶されたＰＴＴメッセージを解析する制御装置ユニットと、
シグナリングチャネルを通してＰＴＴメッセージをワイヤレス通信ネットワークに送信する送信機ユニットとを具備する装置。
【請求項１７】
ＰＴＴメッセージは、ユーザからのＰＴＴ起動要求である請求項１６記載の装置。
【請求項１８】
移動体デバイスとワイヤレス通信ネットワークとの間のプッシュ・ツー・トーク（ＰＴＴ）通信の高速セットアップを可能にし、少なくとも、シグナリングチャネルおよびデータチャネルを通して移動体デバイスと通信する装置において、
ＰＴＴメッセージをデータネットワークから受け取る手段と、
ＰＴＴメッセージを記憶する手段と、
ＰＴＴメッセージを解析する手段と、
無線信号を通してＰＴＴメッセージを移動体デバイスに送信する手段とを具備し、
記憶ユニット中のＰＴＴメッセージがセットアップ関連メッセージである場合に、シグナリングチャネルを通してＰＴＴメッセージを移動体デバイスに送信する装置。
【請求項１９】
記憶ユニット中のＰＴＴメッセージがセットアップ関連メッセージでない場合に、専用アクセスチャネルを通してＰＴＴメッセージを移動体デバイスに送信する請求項１８記載の装置。
【請求項２０】
ＰＴＴメッセージは、ＰＴＴ通話通知メッセージである請求項１８記載の装置。
【請求項２１】
ＰＴＴメッセージは、ＰＴＴ発言許可メッセージである請求項１８記載の装置。
【請求項２２】
ＰＴＴメッセージがシグナリングメッセージに埋め込まれる請求項１８記載の装置。
【請求項２３】
プッシュ・ツー・トーク（ＰＴＴ）通信の高速セットアップを可能にし、少なくとも、シグナリングチャネルおよびデータチャネルを通してワイヤレス通信ネットワークと通信する装置において、
ユーザによるＰＴＴメッセージを受け取る手段と、
ユーザから受け取ったＰＴＴメッセージを記憶する手段と、
記憶ユニット中に記憶されたＰＴＴメッセージを解析する手段と、
シグナリングチャネルを通してＰＴＴメッセージをワイヤレス通信ネットワークに送信する手段とを具備する装置。
【請求項２４】
ＰＴＴメッセージは、ユーザからのＰＴＴ起動要求である請求項２３記載の装置。
【請求項２５】
移動体デバイスとワイヤレス通信ネットワークとの間のプッシュ・ツー・トーク（ＰＴＴ）通信の高速セットアップを可能にするコンピュータプログラムが記憶されるコンピュータ読取可能な媒体において、
移動体デバイスは、少なくとも、シグナリングチャネルおよびデータチャネルを通してワイヤレス通信ネットワークと通信し、コンピュータプログラムはコンピュータ命令を含み、コンピュータプログラムは、ワイヤレス通信デバイスによって実行されるときに、
無線信号送信ポイントにおいて、ＰＴＴメッセージを含むデータパケットをデータ通信ネットワークから受け取るステップと、
データパケットをチェックするステップと、
データパケット中のＰＴＴメッセージがセットアップ関連メッセージである場合に、シグナリングチャネルを通してＰＴＴメッセージを移動体デバイスに送信するステップとを行うコンピュータ読取可能な媒体。
【請求項２６】
データパケット中のＰＴＴメッセージがセットアップ関連メッセージでない場合に、専用アクセスチャネルを通してＰＴＴメッセージを移動体デバイスに送信するステップをさらに行う請求項２５記載のコンピュータプログラム。
【請求項２７】
ＰＴＴメッセージは、ＰＴＴ通話通知メッセージである請求項２５記載のコンピュータプログラム。
【請求項２８】
ＰＴＴメッセージは、ＰＴＴ発言許可メッセージである請求項２５記載のコンピュータプログラム。
【請求項２９】
ＰＴＴメッセージをシグナリングメッセージに埋め込むステップをさらに行う請求項２５記載のコンピュータプログラム。
【請求項３０】
移動体デバイスとワイヤレス通信ネットワークとの間のプッシュ・ツー・トーク（ＰＴＴ）通信の高速セットアップを可能にするコンピュータプログラムが記憶されるコンピュータ読取可能な媒体において、
移動体デバイスは、少なくとも、シグナリングチャネルおよびデータチャネルを通してワイヤレス通信ネットワークと通信し、コンピュータプログラムはコンピュータ命令を含み、コンピュータプログラムは、ワイヤレス通信デバイスによって実行されるときに、
移動体デバイスにおいて、ＰＴＴ通信要求を受け取るステップと、
シグナリングチャネルを通してＰＴＴメッセージを無線送信ポイントに送信し、無線送信ポイントはＰＴＴサーバと通信しているステップとを行うコンピュータ読取可能な媒体。
【請求項３１】
ＰＴＴ通信要求は、ユーザからのＰＴＴ起動要求である請求項３０記載のコンピュータプログラム。
【請求項３２】
ＰＴＴメッセージは、ＰＴＴ通話要求メッセージである請求項３０記載のコンピュータプログラム。
【請求項３３】
ＰＴＴ通信要求は、無線送信ポイントからのＰＴＴ通話通知メッセージである請求項３０記載のコンピュータプログラム。
【請求項３４】
ＰＴＴメッセージは、ＰＴＴ通話受入メッセージである請求項３０記載のコンピュータプログラム。
【発明の詳細な説明】
【関連出願】
【０００１】
本出願は、２００４年６月２１日に出願された米国仮特許出願シリアル番号第６０／５８１，９６８号、および２００５年５月３１日に出願された米国仮特許出願シリアル番号第６０／６８６，１４７号の利益を主張している。これらの文書の内容は、参照によりここに明確に組み込まれている。
【発明の分野】
【０００２】
本発明は、ワイヤレス電気通信システムにおけるデータ伝送に関し、さらに詳細に述べると、ワイヤレス電気通信システム内で伝送されるデータタイプの識別に関する。
【関連技術の説明】
【０００３】
ワイヤレス電気通信システムにおいて、プッシュ・ツー・トーク（ＰＴＴ）能力は、サービスセクタによって一般化している。ＰＴＴがサポートできるのは、コード分割多元接続（ＣＤＭＡ）、周波数分割多元接続（ＦＤＭＡ）、時間分割多元接続（ＴＤＭＡ）、およびグローバルシステムフォーモバイル通信（ＧＳＭ）のような、標準規格の商用ワイヤレスインフラストラクチャを通じて動作する“ディスパッチ”音声サービスである。ディスパッチモデルでは、エンドポイント（エンドユーザデバイス）間の通信は、仮想グループ内で発生し、一人の“話者”の音声が、一人以上の“受話者”にブロードキャストされる。このタイプの通信の単一の例は、ディスパッチ通話、すなわち簡単に言うと、ＰＴＴ通話と呼ばれることが一般的である。ＰＴＴ通話は、通話の特徴を規定するグループのインスタンシエーションである。基本的に、メンバリストおよびグループ名またはグループ識別のような関係する情報によって、グループが規定される。ワイヤレスマルチキャストチャネルがないときは、通話を管理するＰＴＴサーバと各エンドポイントとの間の別のポイントツーポイント接続の組み合わせによって、各グループは形成される。各エンドポイントはクライアントとしても知られている。
【０００４】
図１は、ＰＴＴ通信をサポートする先行技術のアーキテクチャ１００を図示している。アーキテクチャは、電気通信事業者のＣＤＭＡのインフラストラクチャおよびパケットデータネットワークとともに、単一のＰＴＴサーバ領域の配備を含む。ＰＴＴサーバの各領域は、キャリアのパケットデータネットワークの特定の部分に対して配備される。領域内のＰＴＴサーバは、キャリアのネットワークにおいて、１つ以上のパケットデータサービスノード（ＰＤＳＮ）間のトラフィックをルーティングしてもよい。ＰＴＴ機能をサポートする通信デバイス１０２は、基地局１０４と通信する。基地局１０４は高速ネットワーク１０６と通信し、通信デバイス１０２から受け取られたＰＴＴ通信は、基地局１０４とネットワーク１０６とを通ってパケットデータサービスノード（ＰＤＳＮ）に送られる。ＰＤＳＮは、高速ネットワーク１０６およびＰＴＴサーバのネットワーク１０８と通信し、ＰＴＴネットワーク１１０に接続されている。ＰＤＳＮは、ＰＴＴネットワーク１１０においてＰＴＴ通信をＰＴＴサーバ１１２に転送する。
【０００５】
ＰＴＴサーバ１１２は、ＰＴＴグループのメンバ間のＰＴＴ通信を取り扱う。ＰＴＴサーバ１１２はＰＴＴ通信を一人のメンバから受け取り、そのＰＴＴ通信をＰＴＴグループのすべてのメンバに転送する。ＰＴＴ通信は、一般的に、ネットワーク１１０からデータパケットとして受け取られる。ＰＴＴサーバ１１２によって送出されるＰＴＴ通信もデータパケットフォーマットである。受信移動スイッチングセンタ（ＭＳＣ）および接続された基地局（ＢＳ）が専用チャネルを確立して、受信移動体クライアント（ＰＴＴメンバ）にＰＴＴ通信を送信する。
【０００６】
図２は、ＰＴＴ通話セットアップの先行技術のメッセージフロー２００を図示している。ＰＴＴユーザ（発信者）がＰＴＴ通信を実行する準備ができたとき、ユーザ（発信者）が自分の移動体デバイス１０２上のＰＴＴ起動ボタンを押すと、ＰＴＴ要求が実行される。移動体デバイス１０２によって受け取られたＰＴＴ要求に応答して、移動体デバイスは通話要求をＰＴＴサーバ１１２に送る。このＰＴＴサーバ１１２は、ＰＴＴディスパッチャとしても知られている。ＰＴＴサーバ１１２は、通話要求を受け取り、通話要求を処理する。通話要求処理は、ＰＴＴユーザを識別することと、ＰＴＴユーザが属しているＰＴＴグループを識別することと、このＰＴＴグループのメンバを識別することと、ＰＴＴグループの各メンバに送る通話通知メッセージを準備することとを含む。
【０００７】
ＰＴＴサーバ１１２が通話通知メッセージを送った後、各通話通知メッセージはＭＳＣによって受け取られ、ＭＳＣによってＢＳに転送される。ＢＳは、通話通知メッセージをブロードキャストする。ターゲット受信機である移動体クライアントが利用可能である場合、移動体クライアントは、通話受入メッセージをＰＴＴサーバ１１２に返信する。通話受入メッセージを少なくとも１つの移動体クライアントから受け取った後、ＰＴＴサーバ１１２は、発信移動体クライアントに発言許可メッセージを返信する。発信者のＰＴＴ通信グループ中に一人より多いターゲットユーザがいてもよく、少なくとも一人のターゲット移動クライントが利用可能である場合に、ＰＴＴサーバ１１２は発信者に対して発言を許可する。
【０００８】
先に記述したＰＴＴ通信セットアッププロセスは時間に影響を受け易く、図２で示している初期ＰＴＴ待ち時間は、ネットワークトラフィックによって影響を受ける。長い待ち時間は、ＰＴＴ通信のユーザに直接影響を及ぼす。したがって、高速なＰＴＴセットアップを可能にするシステムおよび方法が望まれ、そのようなシステムおよび方法に本発明は主に向けられている。
【発明の概要】
【０００９】
本発明の装置および方法によって、ＰＴＴ通信ユーザからのＰＴＴ関連入力に対する高速な応答が可能になる。１つの実施形態において、移動体デバイスとワイヤレス通信ネットワークとの間のプッシュ・ツー・トーク通信の高速セットアップを可能にする方法を提供する。移動体デバイスは、シグナリングチャネルおよびデータチャネルを通してワイヤレス通信ネットワークと通信する。方法は、無線信号送信ポイントにおいて、ＰＴＴメッセージを含むデータパケットをデータ通信ネットワークから受け取ることと、データパケットをチェックすることと、データパケット中のＰＴＴメッセージがセットアップ関連メッセージである場合に、シグナリングチャネルを通してＰＴＴメッセージを移動体デバイスに送信することとを含む。
【００１０】
別の実施形態において、移動体デバイスとワイヤレス通信ネットワークとの間のプッシュ・ツー・トーク通信の高速セットアップを可能にする方法を提供する。移動体デバイスは、シグナリングチャネルおよびデータチャネルを通してワイヤレス通信ネットワークと通信する。方法は、移動体デバイスにおいて、ＰＴＴ通信要求を受け取ることと、シグナリングチャネルを通してＰＴＴメッセージを無線送信ポイントに送信することと、無線送信ポイントはＰＴＴサーバと通信していることとを含む。
【００１１】
さらに、別の実施形態において、移動体デバイスとワイヤレス通信ネットワークとの間のプッシュ・ツー・トーク（ＰＴＴ）の高速セットアップを可能にする装置を提供する。装置は、シグナリングチャネルおよびデータチャネルを通して移動体デバイスと通信する。装置は、ＰＴＴメッセージをデータネットワークから受け取るネットワークインターフフェイスユニットと、ＰＴＴメッセージを記憶する記憶ユニットと、ＰＴＴメッセージを解析する制御装置ユニットと、無線信号を通してＰＴＴメッセージを移動体デバイスに送信する無線インターフェイスユニットとを備える。記憶ユニット中のＰＴＴメッセージがセットアップ関連メッセージである場合に、無線インターフェイスユニットはシグナリングチャネルを通してＰＴＴメッセージを移動体デバイスに送信する。
【００１２】
さらに別の実施形態において、移動体デバイスとワイヤレス通信ネットワークとの間プッシュ・ツー・トーク（ＰＴＴ）通信の高速セットアップを可能にする装置を提供する。装置は、シグナリングチャネルおよびデータチャネルを通して移動体デバイスと通信している。装置は、ユーザによるＰＴＴメッセージを受け取るユーザインターフェイスと、ユーザから受け取ったＰＴＴメッセージを記憶する記憶ユニット、記憶ユニット中に記憶されたＰＴＴメッセージを解析する制御装置ユニットと、シグナリングチャネルを通してＰＴＴメッセージをワイヤレス通信ネットワークに送信する送信機ユニットとを備える。
【００１３】
したがって、ワイヤレス通信デバイスがＰＴＴ通話セットアップ関連メッセージを優先的に与えることができるので、本装置および本方法は効果的である。ＰＴＴ通話セットアップ関連メッセージを送信するためにシグナリングチャネルを使用することによって、ＰＴＴ通話の待ち時間を減少させることができる。
【００１４】
本発明の効果および特徴は、図面の簡単な説明、発明の詳細な説明および特許請求の範囲に記載されている以後のものをレビューした後に明らかになるであろう。
【図面の簡単な説明】
【００１５】
【図１】図１は、ワイヤレス通信ネットワークの先行技術アーキテクチャである。
【図２】図２は、ＰＴＴ通話をセットアップする先行技術メッセージフローである。
【図３】図３は、本発明の１つの実施形態にしたがった基地局のアーキテクチャである。
【図４】図４は、ワイヤレスデバイスの例示的な実施形態のアーキテクチャである。
【図５】図５は、例示的なワイヤレスデバイスプロセスのフローチャートである。
【図６】図６は、ＰＴＴサーバプロセスの例示的な実施形態のフローチャートである。
【図７】図７は、ＰＴＴ関連メッセージを処理する基地局プロセスのフローチャートである。
【発明の詳細な説明】
【００１６】
この説明では、“通信デバイス”、“ワイヤレスデバイス”、“ワイヤレス通信デバイス”、“ＰＴＴ通信デバイス”、“ハンドヘルドデバイス”、“移動体デバイス”および“ハンドセット”というこれらの言葉を同義的に用いる。ここで用いるような“アプリケーション”という言葉には、実行可能および実行不可能なソフトウェアファイル、生データ、集積データ、パッチおよび他のコードセグメントを含めていることを意図している。“例示的な”という言葉は、開示された構成要素または実施形態が例のみであることを意味しており、この言葉は、ユーザの何らかのパフォーマンスを示していない。さらに、同じ番号はいくつかの図面を通して同じ構成要素を参照し、説明において特定しない限り、冠詞“ａ”および“ｔｈｅ”は複数形の参照を含む。
【００１７】
システムおよび方法によって、ワイヤレスデバイスとワイヤレス通信ネットワークとの間のプッシュ・ツー・トーク（ＰＴＴ）通信の高速セットアップが可能になる。一般的に、ワイヤレスデバイスがＰＴＴ通信を基地局（ＢＳ）に送信する準備ができたときに、ワイヤデバイスは、シグナリングチャネルを通して、専用チャネルの確立を行うＢＳにチャネル要求を送る。ＢＳがリバースアクセスチャネルを確立すると、ワイヤレスデバイスはリバースアクセスチャネルを通してＰＴＴ通信をＢＳに送信する。同様に、ＢＳがＰＴＴ通信をワイヤレスデバイスに送信する準備ができたとき、ＢＳはシグナリングチャネルを通してページングメッセージをワイヤレスデバイスにブロードキャストする。ワイヤレスデバイスがページングメッセージを認識した後、ＢＳはワイヤレスデバイスに対してフォワードアクセスチャネルを確立し、フォワードアクセスチャネルを通してＰＴＴ通信をワイヤレスデバイスに送信する。専用アクセスチャネルへの接続を待つ代わりに、シグナリングチャネルを通してセットアップ関連ＰＴＴメッセージを送信することによって、ＰＴＴ通信のセットアッププロセスをスピードアップすることができる。
【００１８】
図３は、シグナリングチャネルを通してＰＴＴセットアップ関連メッセージを送信できる、ＢＳサーバの簡略化されたアーキテクチャ３００である。ＢＳサーバ３０２は、データパケットをデータネットワークから受け取るネットワークインターフェイスユニット３０４、ＰＴＴメッセージを記憶するバッファ３０８、ＰＴＴメッセージを無線信号のフォーマットでワイヤレスデバイスに送信する無線インターフェイスユニット３０６、および制御装置ユニット３１０を備える。データネットワークから受け取ったデータパケットは、ＰＴＴメッセージ、特に、ＰＴＴセットアップメッセージを含んでいてもよい。ＰＴＴメッセージが受け取られたとき、ＰＴＴメッセージはバッファ３０８に記憶される。制御装置ユニット３１０は、バッファ３０８中のＰＴＴメッセージを解析する。ＰＴＴメッセージが、通話通知メッセージまたは発言許可メッセージのようなセットアップ関連ＰＴＴメッセージである場合に、ＰＴＴメッセージをシグナリングメッセージに埋め込み、シグナリングチャネルを通して、そのメッセージをワイヤレスデバイスに送信するように、制御装置が無線インターフェイスユニット３０６に指示する。セットアップ関連ＰＴＴメッセージは、セットアップ関連ＰＴＴメッセージのパケットヘッダによって識別される。
【００１９】
図４は、ワイヤレスデバイスを簡略化したアーキテクチャ４００である。ワイヤレスデバイスは、ユーザと通信するユーザインターフェイスユニット４０８、情報を記憶する記憶ユニット４０４、情報を受け取り、その情報をワイヤレス通信ネットワークに送信するトランシーバユニット４１０、および制御装置４０２を備える。ユーザインターフェイスユニットは、（示していない）ディスプレイユニット、スピーカユニット、マイクロフォン、およびＰＴＴ起動ボタンを含む。ユーザがＰＴＴ通信を実行する準備ができたときに、ユーザがＰＴＴ起動ボタンを押すと、制御装置４０２がＰＴＴ通話要求を発生させる。ＰＴＴ通話要求はシグナリングメッセージに埋め込まれ、シグナリングチャネルを通してトランシーバユニットによってワイヤレス通信ネットワーク中のＢＳに送信される。
【００２０】
ユーザからの何らかのアクションに関係なく、ワイヤレスデバイスは、ＰＴＴセットアップ要求メッセージもＢＳに送信してもよい。ワイヤレスデバイスが電源投入されたときに、ワイヤレスデバイスはＰＴＴ通話通知メッセージをＢＳから受け取ってもよい。ＰＴＴ通話通知メッセージに応答して、制御装置ユニット４０２はＰＴＴ通話受入メッセージを発生させ、トランシーバユニット４１０はＰＴＴ通話受入メッセージをシグナリングメッセージに埋め込み、シグナリングチャネルを通してそのメッセージをＢＳに返信する。
【００２１】
図５は、ワイヤレスデバイスにおけるＰＴＴプロセスの１つの実施形態のフローチャート５００である。ワイヤレスデバイスは、ワイヤレス通信ネットワークを通しての、ユーザまたはＰＴＴサーバのいずれからの要求を継続的に監視する。ステップ５０２において、ＰＴＴ関連入力がワイヤレスデバイスによって受け取られたとき、そのＰＴＴ関連入力がＰＴＴ起動要求であるか否かを、ＰＴＴプロセスがチェックする。ワイヤレスデバイス上のＰＴＴ機能のユーザによる起動に応答して、ＰＴＴ起動要求がワイヤレスデバイスのＰＴＴプロセスによって受け取られる。ＰＴＴ入力がＰＴＴ起動要求である場合、ステップ５０４において、ワイヤレスデバイスは通話要求を発生させ、ステップ５０６において、ワイヤレス通信ネットワークを通して通話要求をＰＴＴサーバに送る。通話要求はＰＴＴ通話セットアップ関連メッセージであり、通話要求は、シグナリングチャネルを通してシグナリングメッセージ中で基地局に送信される。すなわち、通話要求メッセージは、シグナリングメッセージに埋め込まれる。専用リバースチャネルを要求する代わりに、ワイヤレスデバイスは、シグナリングチャネルを通して基地局に対し、通話要求メッセージまたは通話受入メッセージのような時間に影響を受け易いＰＴＴ通話セットアップ関連メッセージを送信する。
【００２２】
ステップ５０８において、ＰＴＴ入力が基地局からの通話通知である場合、ステップ５１０において、ワイヤレスデバイスは通話受入メッセージを発生させて、ステップ５１２において、シグナリングチャネルを通して通話受入メッセージを基地局に返信する。専用リバースチャネルを通して通話受入メッセージを送る代わりに、シグナリングチャネルを通して通話受入メッセージを基地局に返信し、基地局が通話受入メッセージをＰＴＴサーバに転送することによって、ＰＴＴサーバは、ＰＴＴ通話発信ワイヤレスデバイスに対してより早く発言を許可できる。ステップ５１４において、ＰＴＴプロセスは、他のＰＴＴ関連入力も処理する。
【００２３】
図６は、ＰＴＴサーバのフローチャート６００である。ＰＴＴサーバは、ＰＴＴ関連メッセージをすべてのＰＴＴサービス利用者から受け取る。ステップ６０２において、ＰＴＴサーバがＰＴＴメッセージをユーザから受け取ったとき、ステップ６０４において、ＰＴＴサーバは、ＰＴＴメッセージがＰＴＴ通話要求であるか否かをチェックする。ＰＴＴメッセージが通話要求である場合、ステップ６０６において、ユーザが属しているＰＴＴグループのＰＴＴメンバをＰＴＴサーバが識別する。ＰＴＴメンバを識別した後、ステップ６０８において、ＰＴＴサーバが、通話通知メッセージを各ＰＴＴメンバに対して発生させる。特に、ステップ６１０において、ＰＴＴ通話通知メッセージが基地局により異なって取り扱われるように、ＰＴＴサーバがＰＴＴ通話通知メッセージのヘッダをマークする。ＰＴＴ通話通知メッセージが特定のヘッダによって発生された後に、ステップ６１２において、ＰＴＴサーバがＰＴＴ通話通知メッセージを基地局に送ると、基地局はＰＴＴ通話通知メッセージをＰＴＴメンバに送る。
【００２４】
受け取られたＰＴＴメッセージがＰＴＴ通話セットアップメッセージでない場合に、ステップ６１４において、ＰＴＴサーバがチェックするのは、ＰＴＴメッセージがワイヤレスデバイスからの通話受入メッセージであるか否かである。ＰＴＴメッセージが通話受入メッセージである場合、ステップ６１８において、ＰＴＴサーバは、ＰＴＴ通話を要求したユーザを識別し、ステップ６２０において、発言許可メッセージが要求ユーザに送られているか否かをチェックする。ユーザがＰＴＴ機能を使用して、一人より多いＰＴＴメンバと通信すると、結果的に、１つより多い通話受入メッセージがＰＴＴサーバによって受け取られる。ＰＴＴサーバが何らかの発言許可メッセージを要求ユーザに送信していない場合、すなわち、受け取られた通話受入メッセージが第１の通話受入メッセージである場合に、ＰＴＴサーバは、ステップ６２２において、発言許可メッセージを発生させ、特に、ステップ６２４において、発言許可メッセージのヘッダをマークして、通話セットアップ関連メッセージとして発言許可メッセージのヘッダを表示する。特に、ステップ６２６において、マークされた発言許可メッセージはデータパケットとして基地局に送られ、次に、要求ワイヤレスデバイスに送信される。発言許可メッセージが既に要求ワイヤレスデバイスに送られている場合、ＰＴＴサーバは、別の発言許可メッセージを同じ要求ワイヤレスデバイスに送らない。ステップ６１６において、ＰＴＴサーバは他のＰＴＴ関連メッセージも取り扱う。
【００２５】
特定のヘッダを持つデータパケットは、基地局により異なって取り扱われる。図７は、入ってくるデータパケットを取り扱う基地局のプロセス７００を図示している。ステップ７０２において、基地局がデータパケットを受け取ったとき、ステップ７０４において、基地局がデータパケットのヘッダをチェックする。シグナリングチャネルを通してパケットヘッダをターゲットのワイヤレスデバイスに送るように、パケットヘッダがマークされている場合、ステップ７０６において、基地局は、シグナリングチャネルを通してデータパケットの情報を送信する。パケットのヘッダが特にマークされていない場合、ステップ７０８において、基地局が専用チャネルを確立し、ステップ７１０において、専用チャネルを通してデータパケットをターゲットのワイヤレスデバイスに送る。
【００２６】
以下は、本発明を例示する使用シナリオである。ユーザの同僚を含むＰＴＴグループのメンバとＰＴＴ機能を介して建設現場で通信することをユーザが望んだときに、ユーザは自分のワイヤレスデバイスのＰＴＴボタンを押す。ワイヤレスデバイスは、ＰＴＴボタンの起動を検出し、通話要求メッセージを発生させ、通話要求メッセージをＰＴＴサーバに送る。通話要求メッセージは、通話セットアップメッセージであり、ワイヤレスデバイスは、シグナリングチャネルを通して、シグナリングメッセージとして通話セットアップメッセージを基地局に送信する。シグナリングチャネルを通して通話要求メッセージを送信することによって、通話要求メッセージはＰＴＴサーバによってすぐに受け取られる。基地局はシグナリングメッセージを受け取り、それをＰＴＴサーバに転送する。
【００２７】
ＰＴＴサーバは通話要求メッセージを受け取り、ユーザが属しているＰＴＴグループと要求ユーザとを識別する。ＰＴＴサーバは、このＰＴＴのグループのメンバを識別してＰＴＴ通話通知メッセージを各メンバに対して発生させる。特に、ＰＴＴ通話通知メッセージは、マークされたヘッダを持つデータパケットとして基地局に送られる。基地局は、このＰＴＴ通話通知メッセージを受け取り、このＰＴＴ通話メッセージが特定のデータパケットであることを認識する。ターゲットのＰＴＴメンバのワイヤレスデバイスに対して、基地局が専用チャネルを確立する代わりに、ＰＴＴ通話通知メッセージをシグナリングメッセージに埋め込み、シグナリングチャネルを通してそのメッセージをターゲットのワイヤレスデバイスに送信する。
【００２８】
ターゲットのワイヤレスデバイスが利用可能である場合、ターゲットのワイヤレスデバイスは、通話受入メッセージによりＰＴＴ通話通知メッセージに応答する。ターゲットのワイヤレスデバイスは、シグナリングチャネルを通して通話受入メッセージを基地局に返信する。基地局はデータパケット中の通話受入メッセージをＰＴＴサーバに転送する。第１の通話受入メッセージを受け取った後、ＰＴＴサーバは、要求ワイヤレスデバイスに対して発言を許可し、発言許可メッセージを要求ワイヤレスデバイスに送る。発言許可メッセージは、特定のヘッダを持つデータパケットとして送られ、要求ワイヤレスデバイスに向けられる。
【００２９】
要求ワイヤレスデバイスを受け持つ基地局によって、発言許可メッセージが受け取られると、基地局は、データパケットのヘッダをチェックする。発言許可メッセージが特定のマークされたデータパケットであることを認識したときに、基地局は、発言許可メッセージをシグナリングメッセージに埋め込み、シグナリングチャネルを通して要求ワイヤレスデバイスにメッセージを送信する。要求ワイヤレスデバイスが発言許可メッセージを受け取ったとき、ユーザが他のＰＴＴメンバに送りたい何らかのメッセージを受け取る準備ができていることを、要求ワイヤレスデバイスがユーザに知らせる。
【００３０】
専用チャネルがセットアップされるのを要求して待つ代わりに、シグナリングチャネルを通して通話要求メッセージ、通話受入メッセージ、および他の通話セットアップ関連メッセージを送信することによって、ＰＴＴシステムによってユーザからのＰＴＴ関連要求に対して高速な応答が可能になり、したがって、ＰＴＴ機能の使用がユーザにとって、より快適になる。
【００３１】
ワイヤレスサービスプロバイダのコンピュータデバイスまたはワイヤレス通信デバイスで実行可能な方法を考慮すると、方法は、コンピュータ読取可能な媒体に存在しているプログラムによって行われる。プログラムは、コンピュータプラットフォームを持つサーバまたは他のコンピュータデバイスに対して方法のステップを行うように指示する。コンピュータ読取可能な媒体はサーバのメモリであってもよく、または接続可能なデータベース中に存在していてもよい。さらに、磁気ディスクまたはテープ、光ディスク、ハードディスク、フラッシュメモリ、あるいは技術的に知られている他の記憶媒体のような、ワイヤレス通信デバイスコンピュータプラットフォーム上にロード可能な二次記憶媒体中に、コンピュータ読取可能な媒体は存在することができる。
【００３２】
図５ないし図７の内容において、方法は、例えば、ワイヤレス通信デバイスまたはサーバのようなワイヤレスネットワークの一部分を動作させることによって実現されて、機械読取可能な命令のシーケンスを実行してもよい。ステップをシーケンスで図示しているが、方法は、異なったシーケンスで実現されてもよく、またはイベント駆動プロセスとして実現されてもよい。命令は、さまざまなタイプの信号担持またはデータ記憶の一次、二次または三次の媒体に存在してもよい。媒体は、例えば、ワイヤレスネットワークのコンポーネントによりアクセス可能な（示されていない）ＲＡＭ、または、そのコンポーネント内に存在する（示されていない）ＲＡＭを含んでいてもよい。ＲＡＭ、ディスケット（登録商標）、または他の第二次記憶メディア中に含まれているか否かにより、ＤＡＳＤ記憶装置（例えば、従来の“ハードドライブ”またはＲＡＩＤアレイ）、磁気テープ、電子リードオンリーメモリ（例えば、ＲＯＭ、ＥＰＲＯＭまたはＥＥＰＲＯＭ）、フラッシュメモリカード、光記憶デバイス（例えば、ＣＤ−ＲＯＭ、ＷＯＲＭ、ＤＶＤ、デジタル光テープ）、ペーパー“パンチ”カードまたはデジタルおよびアナログ送信媒体を含む他の適切なデータ記憶媒体のような、さまざまな機械読取可能なデータ記憶媒体上に命令を記憶させてもよい。
【００３３】
これらの好ましい実施形態に関連して、本発明を詳しく示し、説明しているが、添付した特許請求の範囲に示している本発明の精神および範囲を逸脱することなく、形態におけるさまざまな変更および細部にわたる変更ができることを、当業者は理解すべきである。例えば、上記の説明は、オーディオＰＴＴ通信に基づいており、ビデオ、データ等のような他のタイプの媒体をサポートするように、装置、システムおよび方法を容易に修正できることを理解すべきである。さらに、本発明の構成要素は単数形で記述され、特許請求の範囲に記載されているが、単数形に対する限定が明示的に示されない限り、複数形を意図している。
【図１】
2011066906.tif 000003
【図２】
2011066906.tif 000004
【図３】
2011066906.tif 000005
【図４】
2011066906.tif 000006
【図５】
2011066906.tif 000007
【図６】
2011066906.tif 000008
【図７】
2011066906.tif 000009
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
移動体デバイスとワイヤレス通信ネットワークとの間のプッシュ・ツー・トーク（ＰＴＴ）通信の高速セットアップを可能にし、前記移動体デバイスは、少なくとも、シグナリングチャネルおよびトラフィックチャネルを通して前記ワイヤレス通信ネットワークの基地局（ＢＳ）と通信する方法において、
前記移動体デバイスにおいて、セットアップ関連ＰＴＴ通信要求を受け取ることと、
セットアップ関連ＰＴＴメッセージを含むデータパケットのデータパケットヘッダをマークすることと、
前記シグナリングチャネルを通して、前記ＰＴＴメッセージのデータパケットの特別にマークされているデータパケットヘッダを、ＰＴＴサーバと通信している前記ＢＳに送信することとを含む方法。
【請求項２】
前記ＰＴＴ通信要求は、ユーザからのＰＴＴ起動要求である請求項１記載の方法。
【請求項３】
前記ＰＴＴメッセージは、ＰＴＴ通話要求メッセージである請求項１記載の方法。
【請求項４】
前記ＰＴＴ通信要求は、前記ＢＳからのＰＴＴ通話通知メッセージである請求項１記載の方法。
【請求項５】
前記ＰＴＴメッセージは、ＰＴＴ通話受入メッセージである請求項１記載の方法。
【請求項６】
プッシュ・ツー・トーク（ＰＴＴ）通信の高速セットアップを可能にし、少なくとも、シグナリングチャネルおよびトラフィックチャネルを通してワイヤレス通信ネットワークの基地局（ＢＳ）と通信する装置において、
ＰＴＴ通信メッセージを含むデータパケットを受け取る受信機と、
前記受け取ったＰＴＴ通信メッセージを記憶する記憶ユニットと、
前記記憶ユニット中に記憶されたセットアップ関連ＰＴＴ通信メッセージを含むデータパケットのデータパケットヘッダをマークする制御装置ユニットと、
前記シグナリングチャネルを通して、前記ＰＴＴ通信メッセージのデータパケットの特別にマークされているデータパケットヘッダを前記ワイヤレス通信ネットワークの前記ＢＳに送信するトランシーバユニットとを具備する装置。
【請求項７】
前記ＰＴＴメッセージは、ユーザからのＰＴＴ起動要求である請求項６記載の装置。
【請求項８】
プッシュ・ツー・トーク（ＰＴＴ）通信の高速セットアップを可能にし、少なくとも、シグナリングチャネルおよびトラフィックチャネルを通してワイヤレス通信ネットワークの基地局（ＢＳ）と通信する装置において、
ＰＴＴ通信メッセージを含むデータパケットを受け取る手段と、
前記受け取ったＰＴＴ通信メッセージを記憶する手段と、
前記記憶ユニット中に記憶されたセットアップ関連ＰＴＴ通信メッセージを含む前記データパケットのデータパケットヘッダをマークする手段と、
前記シグナリングチャネルを通して、前記ＰＴＴ通信メッセージのデータパケットの特別にマークされているデータパケットヘッダを前記ワイヤレス通信ネットワークの前記ＢＳに送信する手段とを具備する装置。
【請求項９】
前記ＰＴＴメッセージは、ユーザからのＰＴＴ起動要求である請求項８記載の装置。
【請求項１０】
１組の命令を具体化するコンピュータ読取可能な媒体において、
１つ以上のプロセッサよって実行される前記１組の命令は、
移動体デバイスにおいて、セットアップ関連ＰＴＴ通信要求を受け取る１組の命令と、
セットアップ関連ＰＴＴメッセージを含むデータパケットのデータパケットヘッダをマークする１組の命令と、
シグナリングチャネルを通して、前記ＰＴＴメッセージのデータパケットの特別にマークされているデータパケットヘッダを、ＰＴＴサーバと通信している基地局（ＢＳ）に送信する１組の命令とを含むコンピュータ読取可能な媒体。
【請求項１１】
前記ＰＴＴ通信要求は、ユーザからのＰＴＴ起動要求である請求項１０記載のコンピュータ読取可能な媒体。
【請求項１２】
前記ＰＴＴメッセージは、ＰＴＴ通話要求メッセージである請求項１０記載のコンピュータ読取可能な媒体。
【請求項１３】
前記ＰＴＴ通信要求は、前記ＢＳからのＰＴＴ通話通知メッセージである請求項１０記載のコンピュータ読取可能な媒体。
【請求項１４】
前記ＰＴＴメッセージは、ＰＴＴ通話受入メッセージである請求項１０記載のコンピュータ読取可能な媒体。
【手続補正２】
【補正対象書類名】明細書
【補正対象項目名】００３２
【補正方法】変更
【補正の内容】
【００３２】
図５ないし図７の内容において、方法は、例えば、ワイヤレス通信デバイスまたはサーバのようなワイヤレスネットワークの一部分を動作させることによって実現されて、機械読取可能な命令のシーケンスを実行してもよい。ステップをシーケンスで図示しているが、方法は、異なったシーケンスで実現されてもよく、またはイベント駆動プロセスとして実現されてもよい。命令は、さまざまなタイプの信号担持またはデータ記憶の一次、二次または三次の媒体に存在してもよい。媒体は、例えば、ワイヤレスネットワークのコンポーネントによりアクセス可能な（示されていない）ＲＡＭ、または、そのコンポーネント内に存在する（示されていない）ＲＡＭを含んでいてもよい。ＲＡＭ、ディスケット（登録商標）、または他の第二次記憶メディア中に含まれているか否かにより、ＤＡＳＤ記憶装置（例えば、従来の“ハードドライブ”またはＲＡＩＤアレイ）、磁気テープ、電子リードオンリーメモリ（例えば、ＲＯＭ、ＥＰＲＯＭまたはＥＥＰＲＯＭ）、フラッシュメモリカード、光記憶デバイス（例えば、ＣＤ−ＲＯＭ、ＷＯＲＭ、ＤＶＤ、デジタル光テープ）、ペーパー“パンチ”カードまたは他の適切なデータ記憶媒体のような、さまざまな機械読取可能なデータ記憶媒体上に命令を記憶させてもよい。
【外国語明細書】
2011066906000001.pdf